(57)【要約】  【課題】  暗い領域になりやすいケースの段部または傾斜部に、視認性を向上できると共に、表示に表情をつけられる表示窓を備えたＬＥＤ表示装置を提供する。  【解決手段】  暗い領域になりやすいケース１の段部２または傾斜部に設けられた表示窓３と、同表示窓３に対向して内部に実装されたＬＥＤ４とを含み、前記表示窓３の領域を前記ケース１と同じ材料で成形してなるＬＥＤ表示装置Ｂであって、前記表示窓３の領域を、前記ケース１の少なくとも前面からの彫込部５によって構成するとともに、同彫込部５により肉厚６に変化をもたせるように形成した。【選択図】  図１
2006133434.tif 000002
【特許請求の範囲】
【請求項１】
表示窓を有するケースに対向して、ケース内部に実装されたＬＥＤを含むＬＥＤ表示装置において、
前記表示窓の領域が、前記ケースの一部に形成され、肉厚に変化をもたせた薄肉部からなることを特徴とするＬＥＤ表示装置。
【請求項２】
前記薄肉部が、前記ケースの少なくとも前面から形成された凹部からなることを特徴とする請求項１に記載のＬＥＤ表示装置。
【請求項３】
前記凹部の周縁が、切り立てた垂直状の側面および、または湾曲形成された傾斜面からなることを特徴とする請求項２に記載のＬＥＤ表示装置。
【発明の詳細な説明】
【技術分野】
【０００１】
本発明は、暗い領域になりやすいケースの段部または傾斜部に表示窓を備えたＬＥＤ表示装置に係わり、より詳細には、視認性を向上できると共に表示に表情をつけられるようにした表示窓の構造に関する。
【背景技術】
【０００２】
従来のＬＥＤ表示装置として、表示窓を有するケースに対向して、ケース内部に実装されたＬＥＤを含むＬＥＤ表示装置において、前記表示窓の領域をケースと同じ材料により、同ケースの両面から溝を形成することで極薄に成形することを特徴としてなるものが開示されており、これによって、前記表示窓における防塵効果も完全であって、剥がれもなく、また、例えば前記表示窓を別部材で製作して組み付ける場合に比べてコスト的にも有利になっていた（例えば、特許文献１参照。）。
【０００３】
また、不透明合成樹脂材からなる筐体壁の一部に薄肉部からなる表示窓を形成し、上記筐体内に設けられた表示灯の点灯を上記薄肉部からなる表示窓を介して視認するようにしたことを特徴とする表示灯装置が開示されており、これによって、特別な部品を装着することなく、水密および機密構造とすることができ、水分または塵埃等によって筐体内の基板等の電気性能を劣化させることがないという効果を奏していた（例えば、特許文献２参照。）。
【０００４】
しかしながら、上記した特許文献１および特許文献２においては、例えば空気調和機の前面パネル（ケース）のように、暗い領域になりやすいケースの段部または傾斜部に運転情報を表示する表示窓を備え、同表示窓を有するケースに対向して、ケース内部にＬＥＤを含むＬＥＤ表示装置が実装された場合、同ＬＥＤが発光していることを視認しにくいという問題点を有していた。
【０００５】
また、発光表示していない場合には、暗いところではＬＥＤ表示装置の表示窓がどこにあるのかがわかりにくいという問題点があった。
また、表示窓を通して光が視認される際、視認性を向上できると共に、例えば表示窓の肉厚を変化させることによってくっきりさせたり、広く明るく見せるためににじませるようにしたりと、表示に表情をつけて意匠性を高めるようにするなどの工夫がされていなかった。
【０００６】
【特許文献１】特開平８−９５４９７号公報（第１頁〜第２頁、第１図〜第２図）
【特許文献２】実開昭６０−３０４８０号公報（第１頁〜第６頁、第３図〜第４図）
【発明の開示】
【発明が解決しようとする課題】
【０００７】
本発明は上記問題点に鑑み、暗い領域になりやすいケースの段部または傾斜部に設けられても、視認性を向上できると共に、表示に表情をつけられる表示窓を備えたＬＥＤ表示装置を提供することを目的とする。
【課題を解決するための手段】
【０００８】
本発明は上記課題を解決するため、表示窓を有するケースに対向して、ケース内部に実装されたＬＥＤを含むＬＥＤ表示装置において、
前記表示窓の領域が、前記ケースの一部に形成され、肉厚に変化をもたせた薄肉部からなる構成となっている。
【０００９】
また、前記薄肉部が、前記ケースの少なくとも前面から形成された凹部からなる構成となっている。
【００１０】
更に、前記凹部の周縁が、切り立てた垂直状の側面および、または湾曲形成された傾斜面からなる構成となっている。
【発明の効果】
【００１１】
本発明によれば、暗い領域にある表示窓が、ケースの少なくとも前面からの凹部を形成することで構成されるとともに、同凹部の深さにより肉厚に変化をもたせるように形成されたことにより、ＬＥＤの発光によって、前記凹部の底面および側面（立上り面）が光ることで視認しやすくなると共に、ぼかすことにより暗い中でも光が広く見えるようにしたり、更に部分的にくっきりさせたりと、表示に表情をつけて意匠性を高めることができるようになり、また、ＬＥＤの発光がない場合にも、前記凹部の側面（立上り面）が深い陰になって見えやすいことから、ＬＥＤ表示装置の表示窓がどこにあるかを判りやすくすることができるようになる。
【発明を実施するための最良の形態】
【００１２】
以下、本発明の実施の形態を、添付図面に基づいた実施例として詳細に説明する。
図１は本発明によるＬＥＤ表示装置が空気調和機に用いられた場合の説明図で、（Ａ）は断面図、（Ｂ）は要部拡大断面図であり、図２は本発明によるＬＥＤ表示装置の説明図で、（Ａ）は（Ｂ）に示すａ矢視図（表示窓の正面図）、（Ｂ）は（Ａ）に示すｂ−ｂ断面図、（Ｃ）は（Ｄ）に示すｃ矢視図（表示窓の斜視図）、（Ｄ）は（Ｃ）に示すｄ−ｄ断面図であり、図３は本発明によるＬＥＤ表示装置が用いられた空気調和機の一例を示す説明図で、（Ａ）は外観斜視図、（Ｂ）は要部側面図、（Ｃ）は要部拡大図であり、図４は本発明によるＬＥＤ表示装置が用いられた空気調和機の他の例を説明図で、（Ａ）は外観斜視図、（Ｂ）は要部側面図、（Ｃ）は要部拡大斜視図であり、図５は本発明によるＬＥＤ表示装置の要部説明図で、（Ａ）は表示窓が窓部と文字部からなる場合の夫々の大きさを示す図、（Ｂ）は表示窓の大きさを示す図、（Ｃ）は表示窓の斜視図であり、図６は本発明によるＬＥＤ表示装置の要部斜視図で、（Ａ）はＬＥＤ点灯時の表示窓を示し、（Ｂ）はＬＥＤ非点灯時の表示窓を示す。
【００１３】
発明を実施するための形態として、ここでは、本発明によるＬＥＤ表示装置が空気調和機に用いられた場合に基づいて説明する。
【００１４】
本発明によるＬＥＤ表示装置Ｂが用いられた空気調和機Ａは、図１（Ａ）および図１（Ｂ）に示すように、ベースａと、同ベースａの前部に装着され、上部に吸込グリルｂを有する吸込口ｃを、下部に吹出口ｄを夫々備えたケース１（以下、前面パネル１と呼称する）と、前記吸込口ｃと前記吹出口ｄとを結ぶ空気通路に設けられた熱交換器ｅおよび送風ファンｆとからなる構成になっている。
【００１５】
そして、本発明によるＬＥＤ表示装置Ｂは、図１（Ａ）および図１（Ｂ）と、図３（Ａ）乃至図３（Ｃ）と、図４（Ａ）乃至図４（Ｃ）とに示すように、暗い領域になりやすい前記前面パネル１の段部２または傾斜部2'に設けられた表示窓３と、同前面パネル１の表示窓３に対向して内部に実装されたＬＥＤ４とを含み、前記表示窓３の領域を前記前面パネル１と同じ材料で薄肉部６として成形してなる構成となっており、前記表示窓３を通した前記ＬＥＤ４の光によって運転情報を視認できるようになっている。
【実施例１】
【００１６】
前記表示窓３は、実施例１として図１（Ａ）および図１（Ｂ）と、図３（Ａ）乃至図３（Ｃ）とに示すように、暗い領域になりやすい前記前面パネル１の段部２に設けられている場合であっても、また、同前面パネル１の曲面形状部に設けられている場合であっても、前記空気調和機Ａの運転時には、図６（Ａ）に示すように、前記ＬＥＤ４の発光によって、前記前面パネル１の前面側からの彫り込みにより形成された底面および側面（立上り面）からなる凹部５が光ることで視認しやすい構成になっている。
【００１７】
また、前記空気調和機Ａの運転停止時には、前記ＬＥＤ４は非点灯状態になるが、図６（Ｂ）に示すように、前記凹部５の側面（立上り面）が深い陰になって見えやすいことから、前記ＬＥＤ表示装置Ｂの表示窓３がどこにあるのかを判りやすくした構成になっている。
【００１８】
前記表示窓３は、図２（Ｂ）および図２（Ｄ）に示すように、前記前面パネル１の前面側から彫り込まれた前記凹部５により形成されるとともに、同凹部５の深さによって前記薄肉部６の肉厚に変化をもたせるように形成されている。
【００１９】
これにより、例えば図２（Ａ）および図２（Ｂ）に示すように、前記表示窓３を円形状に形成し、且つその周縁部から中心部に向けて前記薄肉部６の肉厚が徐々に厚くなるように変化させることにより、厚肉部に行くにしたがって徐々に光り方をぼかす（にじませる）ことにより、暗い中でも光が広く見えるようになったり、また、部分的にくっきりさせることができるようになって、表示に表情をつけて意匠性を高めることができる。
【００２０】
また、図２（Ａ）および図２（Ｂ）に示す場合とは逆に、中心部から周縁部に向けて肉厚が徐々に厚くなるように変化させるようにすれば、更に表示に違った表情をつけることができるようになる。
【００２１】
また、前記表示窓３は、前記ＬＥＤ４の光軸に対向する位置が少許厚肉状に形成され
ることにより、光軸の輝度を和らげることができるようになって、前記表示窓３全体の光が均一になるように調整できることになる。
【００２２】
または、例えば図２（Ｃ）および図２（Ｄ）に示すように、肉厚の一部を徐々に変化させることで、その部分だけの光り方をぼかす（にじませる）ようにして、表示に違った表情をつけて意匠性を高めることができるようにしてもよい。
なお、図２（Ａ）および図２（Ｃ）で示すピクトグラフにおいて色濃く表示されている箇所は、図（Ｂ）および図（Ｄ）で示すように、前記薄肉部６のうち、とくに肉厚の薄い部分における輝度を表現している。
【００２３】
また、例えば図５（Ａ）に示すような前記表示窓３の大きさ（高さ）ａは、窓部ｂと文字部ｃとを含んだ寸法になっているのに対し、本発明においては、図５（Ｂ）に示すように、表示内容が前記表示窓３の大きさ（高さ）ａにピクトグラフによるシンプルな構成で表示されるようにすることで視認しやすくしている。
【００２４】
また、前記表示窓は、図５（Ｃ）に示すように曲面形状部に設けられた場合であっても容易に、且つ正確に視認できるようになっている。
【００２５】
そのため、前記表示窓３が、図１（Ａ）および図１（Ｂ）と、図３（Ａ）乃至図３（Ｃ）とに示すように、前記前面パネル１の段部２に設けられ、また曲面形状部に設けられた場合であっても、被空調室に壁掛け設置された空気調和機を見上げた際、前記表示窓３を通して前記ＬＥＤ４の光を容易に、且つ正確に視認できるようになる。
【００２６】
この場合、図３（Ｂ）の矢印ｅに示すように空気調和機を見上げた際、前記段部２が矢印で示す被空調室の照明（光）により陰の領域になったとしても、大きめのピクトグラフによるシンプルな形状で形成された前記表示窓３を通して、前記ＬＥＤ４の光を容易に、且つ正確に視認できるようになる。
【実施例２】
【００２７】
次に、前記表示窓３が、暗い領域になりやすい前記前面パネル１の傾斜部2'に設けられている場合について説明する。
【００２８】
前記表示窓３が、実施例２として図４（Ａ）乃至図４（Ｃ）に示すように、前記吹出口ｄに隣接する前記前面パネル１の傾斜部2'に設けられている場合であっても、また、同傾斜部2'が曲面状に形成されている場合であっても、実施例１の場合と同様に、前記表示窓３を通した前記ＬＥＤ４の光を容易に、且つ正確に視認できるよう、例えば図５（Ｂ）および図５（Ｃ）に示すように、大きめのピクトグラフによるシンプルな形状で形成されるようになっている。
【００２９】
この場合、図４（Ｂ）の矢印ｅに示すように空気調和機を見上げた際、前記傾斜部2'が矢印で示す被空調室の照明（光）により陰の領域になったとしても、大きめのピクトグラフによるシンプルな形状で形成された前記表示窓３を通して、前記ＬＥＤ４の光を容易に、且つ正確に視認できるようになる。
【００３０】
また、前記表示窓３が、大きめのピクトグラフによるシンプルな形状によって形成されたことにより、前記ＬＥＤ４が発光していない場合であっても、同表示窓３がどこにあるのかがわかりにくいということがなくなる。
【００３１】
なお、前記表示窓３は、実施例１で説明したのと同様に、前記前面パネル１の前面からの前記凹部５によって構成されるとともに、同凹部５の側面は開放側が拡開されるように形成してもよい。
【００３２】
これにより、前記ＬＥＤ４の光が前記表示窓３を通過した際、前記凹部５の側面が光ることによって、浅い角度からでも前記表示窓３が光っていることを視認できるようになっており、前記凹部５の側面が拡開されることによって、同凹部５の側面が光っていることを更に効果的に視認できるようになる。
【００３３】
また、前記表示窓３の領域が湾曲形成されてなる構成にしてもよい。
前記表示窓３が、被空調室側からみて凹面状に、もしくは凸面状に湾曲形成されることにより、同表示窓３を通した前記ＬＥＤ４の光によって、例えば前記凹部５の側面の光り具合にも変化をつけることができるようになり、運転情報の表示に更に違った表情をつけることができるようになる。
【００３４】
この場合、前記表示窓３が均等な肉厚によって凹面状に、もしくは凸面状に湾曲形成される以外にも、実施例１で説明した前記表示窓３のように、前記前面パネル１の前面から形成した前記凹部５によって肉厚に変化をもたせてもよいし、また、凹レンズもしくは凸レンズとして形成されるようにしてもよい。
【００３５】
これらにより、前記表示窓３の肉厚に変化をもたせること、あるいは前記凹部５の側面を拡開させることや、またはこれらの条件を組合わせることによって、前記ＬＥＤ表示装置Ｂによる表示に特徴のある表情をつけることができるようになる。
【図面の簡単な説明】
【００３６】
【図１】本発明によるＬＥＤ表示装置が空気調和機に用いられた場合の説明図で、（Ａ）は断面図であり、（Ｂ）は要部拡大断面図である。
【図２】本発明によるＬＥＤ表示装置の説明図で、（Ａ）は（Ｂ）に示すａ矢視図（表示窓の正面図）であり、（Ｂ）は（Ａ）に示すｂ−ｂ断面図であり、（Ｃ）は（Ｄ）に示すｃ矢視図（表示窓の斜視図）であり、（Ｄ）は（Ｃ）に示すｄ−ｄ断面図である。
【図３】本発明によるＬＥＤ表示装置が用いられた空気調和機の一例を示す説明図で、（Ａ）は外観斜視図であり、（Ｂ）は要部側面図であり、（Ｃ）は要部拡大図である。
【図４】本発明によるＬＥＤ表示装置が用いられた空気調和機の他の例を説明図で、（Ａ）は外観斜視図であり、（Ｂ）は要部側面図であり、（Ｃ）は要部拡大斜視図である。
【図５】本発明によるＬＥＤ表示装置の要部説明図で、（Ａ）は表示窓が窓部と文字部からなる場合の夫々の大きさを示す図であり、（Ｂ）は表示窓の大きさを示す図であり、（Ｃ）は表示窓の斜視図である。
【図６】本発明によるＬＥＤ表示装置の要部斜視図で、（Ａ）はＬＥＤ点灯時の表示窓を示し、（Ｂ）はＬＥＤ非点灯時の表示窓を示す。
【符号の説明】
【００３７】
１  ケース（前面パネル）
２  段部
2'  傾斜部
３  表示窓
４  ＬＥＤ
５  凹部
６  薄肉部
Ａ  空気調和機
Ｂ  ＬＥＤ表示装置
ａ  ベース
ｂ  吸込グリル
ｃ  吸込口
ｄ  吹出口
ｅ  熱交換器
ｆ  送風ファン
【図１】
2006133434.tif 000003
【図２】
2006133434.tif 000004
【図３】
2006133434.tif 000005
【図４】
2006133434.tif 000006
【図５】
2006133434.tif 000007
【図６】
2006133434.tif 000008